(57)【要約】【課題】簡易な構成で安定した電気的接続を行えるとともに、小型化及び低背化を実現できるレセプタクルコネクタおよびコネクタ装置を提供すること。【解決手段】ハウジング１１０は、プラグ２００のプラグコンタクト２５０が挿入される開口部１０２を有する。開口部１０２内には、プラグコンタクト２５０と接続するコンタクト１５０を備える。ハウジング１１０は、プラグ２００の係合凸部２１５ｂと係合して、コンタクト１５０、２５０同士の接続位置を位置決めする係合口部１１５を有する。コンタクト１５０は、開口部１０２内でプラグ２００の挿入方向とは逆の方向に二股に分岐する一対の分岐片を含む分岐接点部１５４を有し、分岐接点部１５４は、コンタクト同士の接続位置が位置決めされた際に、一対の分岐片間に挿入されるプラグコンタクト２５０を、弾性変形により導通可能に挟持する。【選択図】図２
2015118918.tif 000002
【特許請求の範囲】
【請求項１】
接続相手である相手コネクタの相手コンタクトが挿入される開口部を有するハウジングと、
前記ハウジングに支持され、前記開口部内で前記相手コンタクトと接続するコンタクトと、
前記ハウジングに形成され、前記相手コネクタの一部と挿入方向で係合して、前記コンタクト同士の接続位置を位置決めする位置決め手段と、
を備え、
前記コンタクトは、前記開口部内で前記相手コネクタの挿入方向とは逆の方向に向かって二股に分岐して設けられ、互いに離れる方向に弾性変形自在な一対の分岐片を含む分岐接点部を有し、
前記分岐接点部は、前記位置決め手段により前記接続位置が位置決めされた際に、前記一対の分岐片間に挿入される前記相手コンタクトを、弾性変形により導通可能に挟持する、
コネクタ。
【請求項２】
前記ハウジングは、前記開口部に沿って配置される壁部を備え、
前記相手コンタクトは、前記壁部の厚み方向に延在し、
前記一対の分岐片は、前記壁部の厚み方向と交差する方向に弾性変形して、前記相手コンタクトを挟持する、
請求項１記載のコネクタ。
【請求項３】
前記位置決め手段は、前記開口部を挟み、前記一対の分岐片の互いに離れる方向で離間して配置され、前記相手コネクタの被係合部と前記挿入方向で係合する第１係合部を有する、
請求項１または２記載のコネクタ。
【請求項４】
前記位置決め手段は、前記分岐接点部に対して、前記一対の分岐片の互いに離れる方向と直交する方向で対向し、且つ、前記開口部を仕切る底面部から突出して設けられ、前記相手コネクタの係合凹部に挿入されて前記接続位置の位置決めを行う第２係合部を備える、
請求項１から３のいずれか一項に記載のコネクタ。
【請求項５】
前記第２係合部の先端部には、前記相手コンタクトを、前記離れる方向で前記一対の分岐片間に案内するテーパ部が設けられている、
請求項４記載のコネクタ。
【請求項６】
前記ハウジングは、前記コンタクトを、前記一対の分岐片の互いに離間する方向に一列に並んで複数支持し、
前記第２係合部は、前記コンタクトのピッチ方向で互いに隣り合うコンタクトの少なくとも一方の分岐片に対向する位置に配置されている、
請求項４または５記載のコネクタ。
【請求項７】
前記一対の分岐片の先端には、互いの分岐片に向かって下るテーパが付けられている、
請求項１から６のいずれか一項に記載のコネクタ。
【請求項８】
前記一対の分岐片の先端には、互いに対向する方向に突出して設けられ、挟持する前記相手コンタクトが前記挿入方向とは逆の方向に移動する際に、前記相手コンタクトにおいて前記挿入方向とは逆側の面に接触して、その移動を規制するフック部が設けられている、
請求項１から３のいずれか一項に記載のコネクタ。
【請求項９】
前記フック部の互いに対向する方向に突出した先端部は、前記一対の分岐片が挟持する前記相手コンタクトの両側部よりも前記相手コンタクトの中央部分側の前記相手コンタクトの前記逆側の面に位置する、
請求項８記載のコネクタ。
【請求項１０】
前記フック部は、前記相手コンタクトの前記逆側の面と面接触するフック面を有する、
請求項８記載のコネクタ。
【請求項１１】
前記フック部の下部には、前記一対の分岐片の互いに対向する破断面の一部を切り欠いた切り欠き部が形成されている、
請求項８記載のコネクタ。
【請求項１２】
前記破断面において切り欠き部の前記挿入方向の直線長さは、前記相手コンタクトの挿入方向の厚みよりも小さい、
請求項１０記載のコネクタ。
【請求項１３】
前記切り欠き部は、円弧状である、
請求項１１記載のコネクタ。
【請求項１４】
請求項１から１３のいずれか一項に記載のコネクタと、
前記コネクタに嵌合する相手コネクタと、
を備える、
コネクタ装置。
【請求項１５】
請求項１４記載のコネクタ装置において、
前記コネクタに嵌合する、
相手コネクタ。
【発明の詳細な説明】
【技術分野】
【０００１】
本発明は、コネクタ及びこれを備えるコネクタ装置に関し、特に、ボード・ツー・ボード（Board To Board：「ＢｔｏＢ」（登録商標）ともいう）タイプのコネクタ及びこれを備えるコネクタ装置に関する。
【背景技術】
【０００２】
ＢｔｏＢ（登録商標）タイプのコネクタ装置は、携帯電話、スマートフォンなどの携帯端末を含む電子機器において、ＰＣＢ（Printed Circuit Board）、ＰＷＢ（Printed Wiring Board）及びＦＰＣ（Flexible Printed Circuits）等の基板同士の電気的な接続に用いられる。
【０００３】
このような基板同士を電気的に接続するコネクタ装置は、一般的に、接続する一方の基板に設けられるレセプタクルコネクタ（以下、「レセプタクル」と称する）と、他方の基板に設けられ、且つ、レセプタクルに嵌合するプラグコネクタ（以下、「プラグ」と称する）とを有する。
【０００４】
例えば、特許文献１に示すコネクタ装置では、レセプタクルは、プラグの凸部が挿入される開口部を、上方に開口して設けた絶縁性を有するハウジングと、このハウジングの開口部内に配設されたレセプタクル側のコンタクトとを有する。一方、プラグは、レセプタクルの開口部内に挿入され、且つ、絶縁性を有する凸部（プラグの側壁）と、この凸部の外面に沿って配置されるプラグ側のコンタクトとを有する。なお、以下では、レセプタクル側のコンタクトをレセコンタクトと称し、プラグ側のコンタクトをプラグコンタクトと称する。
【０００５】
レセコンタクトは、ハウジングにおいて開口部を挟むそれぞれの側壁に沿って配置される逆Ｕ字状部と、逆Ｕ字状部の一端に連なり、ハウジングの開口部内に配置されるＵ字溝状導通部とを備える。なお、逆Ｕ字状部の他端部には、基板に接続される接続脚が設けられている。
【０００６】
Ｕ字溝状導通部は、レセプタクルのハウジングの開口部内に挿入したプラグの凸部によって、凸部外面のプラグコンタクトに接触した状態で、レセプタクルのハウジングの側壁から離れる方向に弾性変形する。これにより、プラグ及びレセプタクルは、互いのコンタクト同士の接続状態を保持しつつ嵌合した状態となる。
【先行技術文献】
【特許文献】
【０００７】
【特許文献１】特開２００７−３２８９６１号公報
【発明の概要】
【発明が解決しようとする課題】
【０００８】
ところで、基板同士を電気的に接続するコネクタ装置が用いられる電子機器では、小型化、薄型化の強い要望がある。これに伴い、電子機器に用いられるコネクタ装置自体の薄型化、つまり、プラグとレセプタクルの挿入方向の長さであるコネクタ装置の高さをより低くする低背化が望まれている。
【０００９】
これに対し、特許文献１に示すような従来の構成では、プラグにおいて挿入方向に突出する凸部を、レセプタクルの開口部内に挿入して、凸部外面のプラグコンタクトを開口部内のレセコンタクトのＵ字溝状導通部内に挿入してレセプタクルの側壁と離間する方向に移動させた状態で接続させている。
【００１０】
このため、両コンタクトを確実に接続させるために、挿入深さに相当するプラグの凸部の突出長さを、所定の長さ分を確保する必要がある。
【００１１】
また、プラグの凸部の挿入を受けて変形するＵ字溝状導通部では、凸部の外面のコンタクトとの接触圧を確保するために、側壁と離間する方向に変形する領域、つまり、側壁と離間する方向の長さを確保する必要がある。
【００１２】
このように、基板同士を電気的に接続する従来のコネクタ装置では、その構成上、挿入方向に相当する高さ方向の長さ、及び、高さ方向に直交する方向である側壁との離間方向（幅方向）の長さを短くして小型化、低背化を行うことが困難であるという問題がある。
【００１３】
また、Ｕ字溝状導通部は、逆Ｕ字部に連なるように形成しているため、レセコンタクトの全体形状としては蛇腹状をなしている。これにより、レセコンタクト自体の製作にコストが嵩むとともに、レセプタクルへの取付作業の手間がかかるという問題がある。
【００１４】
本発明の目的は、簡易な構成で安定した電気的接続を行えるとともに、小型化及び低背化を実現できるレセプタクルコネクタ及びこれを備えるコネクタ装置を提供することである。
【課題を解決するための手段】
【００１５】
本発明のコネクタの一つの態様は、接続相手である相手コネクタの相手コンタクトが挿入される開口部を有するハウジングと、前記ハウジングに支持され、前記開口部内で前記相手コンタクトと接続するコンタクトと、前記ハウジングに形成され、前記相手コネクタの一部と挿入方向で係合して、前記コンタクト同士の接続位置を位置決めする位置決め手段と、を備え、前記コンタクトは、前記開口部内で前記相手コネクタの挿入方向とは逆の方向に向かって二股に分岐して設けられ、互いに離れる方向に弾性変形自在な一対の分岐片を含む分岐接点部を有し、前記分岐接点部は、前記位置決め手段により前記接続位置が位置決めされた際に、前記一対の分岐片間に挿入される前記相手コンタクトを、弾性変形により導通可能に挟持する構成を採る。
【００１６】
本発明のコネクタ装置の一つの態様は、上記構成のコネクタと、前記コネクタに嵌合する相手コネクタと、を備える構成を採る。本発明の相手コネクタの一つの態様は、上記構成のコネクタ装置において、前記コネクタに嵌合する構成を採る。
【発明の効果】
【００１７】
本発明によれば、簡易な構成で安定した電気的接続を行えるとともに、小型化及び低背化を実現することができる。
【図面の簡単な説明】
【００１８】
【図１】本発明の実施の形態１のコネクタ装置の概要を示す斜視図
【図２】同コネクタ装置においてレセプタクルコネクタからプラグコネクタを外した状態を示す斜視図
【図３】同コネクタ装置のレセプタクルコネクタに嵌合するプラグコネクタの説明に供する図
【図４】同コネクタ装置におけるプラグコネクタの側面図
【図５】図３ＢのＡ―Ａ線断面図
【図６】同コネクタ装置におけるレセプタクルコネクタの平面図
【図７】同コネクタ装置におけるレセプタクルコネクタの底面図
【図８】レセプタクルコンタクトを正面側から見た部分拡大斜視図
【図９】図６のＢ−Ｂ線断面図
【図１０】図６のＣ−Ｃ線矢視断面図
【図１１】レセプタクルコネクタとプラグコネクタとの嵌合動作の一連の流れを示す要部断面図
【図１２】レセプタクルコネクタとプラグコネクタとの嵌合動作を示す要部断面図
【図１３】コンタクト同士の接続状態を示す要部構成図
【図１４】図１１ＥのＤ−Ｄ線部分の断面図
【図１５】本実施の形態のコネクタ装置の高さと、従来のコネクタ装置の高さを比較する部分断面図
【図１６】本発明の実施の形態２のコネクタ装置の概要を示す斜視図
【図１７】同コネクタ装置においてレセプタクルコネクタからプラグコネクタを外した状態を示す斜視図
【図１８Ａ】同コネクタ装置のレセプタクルコネクタに嵌合するプラグコネクタの説明に供する図
【図１８Ｂ】同コネクタ装置のレセプタクルコネクタに嵌合するプラグコネクタの説明に供する図
【図１９】図１８ＢのＥ―Ｅ線断面図
【図２０】図１８ＢのＦ―Ｆ線断面図
【図２１】プラグコンタクトにおけるプラグ接点部の断面図
【図２２】本発明の実施の形態２のコネクタ装置におけるレセプタクルコネクタの平面図
【図２３】同コネクタ装置におけるレセプタクルコネクタの底面図
【図２４】図２２のＧ−Ｇ線断面図
【図２５】開口部内に配置されるレセプタクルコンタクトの分岐接点部を示す図
【図２６】レセプタクルコネクタとプラグコネクタとの嵌合動作の一連の流れを示す要部断面図
【図２７】レセプタクルコネクタとプラグコネクタとの嵌合動作の一連の流れを示す要部断面図
【図２８】本発明の実施の形態２のコネクタ装置の嵌合状態における正面図
【図２９】図２８のＨ−Ｈ線断面図
【図３０】図２８のＪ−Ｊ線断面図
【図３１】本実施の形態２において分岐接点部に挟持されたプラグコンタクトが引抜方向に移動した状態を示す図
【発明を実施するための形態】
【００１９】
以下、本発明の実施の形態について、図面を参照して詳細に説明する。
【００２０】
（実施の形態１）
＜コネクタ装置の全体構成＞
図１は、本発明の実施の形態１のコネクタ装置の概要を示す斜視図であり、図２は、同コネクタ装置においてレセプタクルコネクタからプラグコネクタを外した状態を示す斜視図である。
【００２１】
なお、本実施の形態において、コネクタ装置の各部の構成及び動作を説明するために使用される正（前）、背（後）、平（上）、底（下）、左、右等の方向を示す表現は、絶対的なものでなく相対的なものである。これら方向を示す表現は、各コネクタの各部が図に示される姿勢である場合に適切であるが、その姿勢が変化した場合には姿勢の変化に応じて変更して解釈されるべきものである。
【００２２】
図１及び図２に示すコネクタ装置１０は、レセプタクルコネクタ（以下、「レセプタクル」と称する）１００と、レセプタクルコネクタ１００と嵌合可能に形成されたプラグコネクタ（以下、「プラグ」と称する）２００とを備える。
【００２３】
＜プラグコネクタ２００の構成＞
まず、レセプタクル１００に嵌合するプラグ２００について説明する。
【００２４】
図３は、同コネクタ装置のレセプタクルコネクタに嵌合するプラグコネクタの説明に供する図であり、図３Ａは、プラグコネクタの斜視図であり、図３Ｂは、プラグコネクタの正面図である。図４は、同コネクタ装置におけるプラグコネクタの側面図である。
【００２５】
プラグ２００は、合成樹脂材料など絶縁材料により形成されるプラグハウジング２１０と、導電性を有し、プラグハウジング２１０に取り付けられるプラグコンタクト２５０とを有する。なお、本実施の形態では、プラグ２００を接続相手である相手コネクタとし、プラグハウジングを接続相手の相手コネクタのハウジングとし、更に、プラグコンタクト２５０を相手コネクタのコンタクトとして説明する。
【００２６】
プラグハウジング２１０は、レセプタクルコネクタ１００のレセプタクルハウジング（以下、「レセハウジング」と称する）１１０（図２参照）に嵌合自在な形状に形成されている。
【００２７】
プラグハウジング２１０は、互いに平行な長辺壁部２１１、２１２と、これら長辺壁部２１１、２１２間で長辺壁部２１１、２１２と平行に配置される中央梁部２１３と、これら壁部２１１〜２１３が架設される短辺壁部２１５、２１６とを有する。
【００２８】
長辺壁部２１１、２１２は、中央梁部２１３とともに、これら壁部２１１〜２１３に、長手方向に沿って複数配設されるプラグコンタクト２５０を支持している。これら長辺壁部２１１、２１２及び中央梁部２１３の両端部（図では左右の端部）のそれぞれに短辺壁部２１５、２１６がそれぞれ設けられている。
【００２９】
図２に示すプラグ２００の短辺壁部２１５、２１６は、それぞれレセプラクル１００の位置決め係合口部（以下、「係合口部」と称する）１６２、１６３に対応した外形を有する。ここでは、短辺壁部２１５、２１６の外周には、係合口部１６２、１６３の内周面に形成されたキー溝１６２１、１６３１に係合するキー凸部２１５ａ、２１６ａが、キー溝１６２１、１６３１に対応して設けられている。
【００３０】
短辺壁部２１５、２１６は、挿入方向側（下面側）に突出して形成され、且つ、位置決め係合口部１６２、１６３への挿入をガイドする係合凸部２１５ｂ、２１６ｂを有する。これら係合凸部２１５ｂ、２１６ｂの外面には、位置決め係合口部１６２、１６３への挿入を案内するテーパ部２１７、２１８が形成されている。係合凸部２１５ｂ、２１６ｂは、被係合部に対応し、係合口部１６２、１６３は、位置決め手段であり、第１係合部に対応する。
【００３１】
テーパ部２１７、２１８は、係合凸部２１５ｂ、２１６ｂの外面において先端部外縁の全周に亘って形成されている。ここでは、係合凸部２１５ｂ、２１６ｂは、矩形状の外形で形成されているため、テーパ部２１７、２１８は、係合凸部２１５ｂ、２１６ｂの下端部（突出端部）の外縁で矩形状に形成される。
【００３２】
プラグコンタクト２５０は、銅、リン銅等の導電性を有する棒状の金属材料から構成された材料を加工して形成されている。
【００３３】
プラグコンタクト２５０は、中央梁部２１３と長辺壁部２１１、２１２との間に形成される開口部２３０（２３０−１、２３０−２）内に、中央梁部２１３及び長辺壁部２１１、２１２の厚み方向（図２における前後方向）に延びるように配置されている。なお、中央梁部２１３及び長辺壁部２１１、２１２の厚み方向は、レセプタクル１００の長辺壁部１１２の厚み方向に相当する。
【００３４】
図５は、図３ＢのＡ―Ａ線断面図である。
【００３５】
図５に示すように、ここでは、プラグコンタクト２５０（２５０−１、２５０−２）は、中央梁部２１３及び長辺壁部２１１の間と、中央梁部２１３及び長辺壁部２１２間にそれぞれ架設されている。これらプラグコンタクト２５０−１、２５０−２は、プラグ２００において、それぞれ中央梁部２１３を中心に前後に、背中合わせで対称に設けられている。
【００３６】
すなわち、プラグコンタクト２５０は、中央梁部２１３及び長辺壁部２１１間の開口部２３０内及び中央梁部２１３と長辺壁部２１２間の開口部２３０内のそれぞれで、長手方向（図３では左右方向）に一列に並んでいる。図５に示すように、プラグコンタクト２５０は、全体として、プラグハウジング２１０に対して、長手方向に２列でそれぞれ異なる信号、電源を接続可能となっている。
【００３７】
プラグコンタクト２５０は、中央梁部２１３及び長辺壁部２１１、２１２間に架設されることで、中央梁部２１３と長辺壁部２１１、２１２で固定支持され、中央梁部２１３と長辺壁部２１１、２１２の間のそれぞれで、略水平方向に延在して露出している。
【００３８】
プラグコンタクト２５０−１、２５０−２において、中央梁部２１３と長辺壁部２１１、２１２間で外部に露出する部分が、レセプタクル側のコンタクト（以下、「レセコンタクト」と称する）１５０と接続する棒状のプラグ接点部（以下、「棒状接点部」と称する）２５２を構成する。ここでは、棒状接点部２５２の下部（挿入方向側の部位）はＶ字状に形成され、レセプタクル１００側のコンタクト１５０と面接触し易くなっている。詳細には、棒状接点部２５２は、レセコンタクト１５０において棒状接点部２５２の挿入方向とは逆の方向に二股に分岐して構成された分岐接点部１５４の破断面（図８に示す分岐片１５４１、１５４２の互いに対向する面）で導通可能に挟持される。このとき、棒状接点部２５２の下部はＶ字状であるため、破断面と好適に面接触する。
【００３９】
また、棒状接点部２５２と連続し、且つ、長辺壁部２１１、２１２の外面からそれぞれ前後側に突出する部分が、脚部２５４を構成する。脚部２５４は、基板の回路等に固定され、基板と導通可能に接続される。なお、本実施の形態におけるプラグコンタクト２５０は、プラグハウジング２１０にインサート成形によって一体成型されている。
【００４０】
＜レセプタクルコネクタ１００の構成＞
図６は、同コネクタ装置におけるレセプタクルコネクタの平面図であり、図７は、同コネクタ装置におけるレセプタクルコネクタの底面図である。
【００４１】
図２、図６及び図７に示すレセプタクル１００は、接続相手であるプラグ２００のプラグハウジング２１０と対応した係合自在な形状のレセハウジング１１０と、プラグコンタクト２５０と接続するレセコンタクト１５０とを有する。更に、レセプタクル１００は、プラグ２００の一部と挿入方向で係合して、プラグコンタクト２５０とレセコンタクト１５０と同士の接続位置を位置決めする位置決め手段（係合口部１６２、１６３、位置決めリブ１３０）を有する。位置決め手段は、レセプタクル側のハウジング１１０に形成されている。
【００４２】
また、レセコンタクト１５０−１、１５０−２は、レセハウジング１１０において、レセハウジング１１０の前後方向の中心で前後対称に、且つ、それぞれプラグコンタクト２５０−２、２５０−１に対応して長手方向に同ピッチで複数配置されている。
【００４３】
レセハウジング１１０は、長辺壁部１１２、１１３に沿って形成され、且つ、上方に開口する開口部１０２（１０２−１、１０２−２）を有する。開口部１０２（１０２−１、１０２−２）には、プラグコンタクト２５０（２５０−１、２５０−２）、つまり、棒状接点部２５２が、長辺壁部１１２、１１３の壁厚方向に延在した状態で挿入される。すなわち、開口部１０２（１０２−１、１０２−２）内で、レセコンタクト１５０（１５０−１、１５０−２）は、図３Ａ及び図５に示すプラグコンタクト２５０（２５０−２、２５０−１）と接続する。
【００４４】
具体的には、レセハウジング１１０は、矩形板状の底面部１１１と、底面部１１１の底部長辺部１１１ａ、１１１ｂから立設する前後側の長辺壁部１１２、１１３と、短辺壁部１１５、１１６とを有する。
【００４５】
図６及び図７に示すように、底面部１１１には、長辺壁部１１２、１１３に接合する底部長辺部１１１ａ、１１１ｂに沿って、開口部１０２−１、１０２−２と連続する長尺の切欠孔１１７−１、１１７−２が形成されている。なお、これら切欠孔１１７−１、１１７−２内には、レセコンタクト１５０の分岐接点部１５４が配置されている。レセコンタクト１５０についての詳細は後述する。
【００４６】
また、底面部１１１は、これら切欠孔１１７−１、１１７−２の間に、短辺壁部１１５、１１６間で、長手方向に延在する中央底板部１１８を有する。
【００４７】
この中央底板部１１８には、上方に突出する位置決めリブ１３０（１３０−１、１３０−２）が、切欠孔１１７−１、１１７−２のそれぞれの縁部に沿って、長手方向に、複数同ピッチで配置されている。なお、位置決めリブ１３０−１、１３０−２は、中央底板部１１８の短手方向の中心を対称として前後方向で対称に形成されている。
【００４８】
位置決めリブ１３０（１３０−１、１３０−２）は、中央底板部１１８において切欠孔１１７−１、１１７−２の長手方向の縁部に沿った前後側の長辺部分に形成されている。なお、位置決めリブ１３０（１３０−１、１３０−２）は、プラグ２００とレセプタクル１００とが係合する際に、分岐接点部１５４とともにプラグ２００の開口部（中央梁部２１３と長辺壁部２１１、２１２間のそれぞれの開口部）２３０に挿入される。位置決めリブ１３０は位置決め手段であり、第２係合部に対応する。また、プラグ２００の開口部２３０（２３０−１、２３０−２）は、係合凹部に対応する。
【００４９】
図２及び図６に示す位置決めリブ１３０は、プラグコンタクト２５０（詳細には棒状接点部２５２）を分岐接点部１５４との接続位置に案内するための位置決め手段である第２係合部として機能する。
【００５０】
この位置決めリブ１３０の先端部（各図では、上端部に相当）には、プラグコンタクト２５０（詳細には棒状接点部２５２）を分岐接点部１５４に案内するガイドテーパ部１３４、１３５が設けられている。ガイドテーパ部１３４、１３５は、先端から長手方向（ピッチ方向に相当）に傾斜して形成されており、その傾斜の下端側の延長線に沿う位置に、分岐接点部１５４との接続位置が位置している。
【００５１】
また、位置決めリブ１３０では、前後の位置決めリブ１３０−１、１３０−２間に、プラグ２００の中央梁部２１３が挿入される（図１参照）。これにより、前後の位置決めリブ１３０−１、１３０−２は、プラグコンタクト２５０とレセコンタクト１５０同士の接続位置を、前後方向で規制する。
【００５２】
長辺壁部１１２、１１３は、図２及び図６に示すように、前後の位置決めリブ１３０−１、１３０−２と、底面部１１１の底部長辺部１１１ａ、１１１ｂとともに、プラグコンタクト２５０が挿入される開口部１０２（１０２―１、１０２−２）を形成する。
【００５３】
また、長辺壁部１１２、１１３は、両端部でそれぞれ短辺壁部１１５、１１６に接続され、短辺壁部１１５、１１６とともに、プラグ２００が挿入される矩形枠状の壁部を形成している。これら、長辺壁部１１２、１１３の上面部は、切り欠かれており、短辺壁部１１５、１１６の上面によりも低くなっている。この切り欠かれた部分には、図１に示すように、プラグ２００が嵌合した際に、プラグ２００のプラグコンタクト２５０の脚部２５４が並んで配置される。これにより、プラグ２００とレセプタクル１００との嵌合状態では、プラグ２００の底面側であるコネクタ装置１０の上面が略面一となる。
【００５４】
図６に戻り、短辺壁部１１５、１１６は、開口部１０２（１０２―１、１０２−２）を挟み、レセコンタクト１５０のピッチ方向に離間して配置されている。短辺壁部１１５、１１６は、プラグ２００の挿入方向で貫通し、係合凸部２１５ｂ、２１６ｂと係合する係合口部（第１係合部）１６２、１６３を有する。
【００５５】
係合口部１６２、１６３は、プラグ２００一部である係合凸部２１５ｂ、２１６ｂと挿入方向で係合して、プラグコンタクト２５０とレセコンタクト１５０同士の接続位置を前後方向で大まかな位置で位置決めする。
【００５６】
次に、レセコンタクト（レセプタクルコンタクト）１５０について詳細に説明する。
【００５７】
図８は、レセプタクルコンタクトを正面側から見た部分拡大斜視図であり、また、図９は、図６のＢ−Ｂ線断面図であり、図１０は、図６のＣ−Ｃ線矢視断面図である。
【００５８】
図８〜図１０に示すレセコンタクト１５０（１５０−１、１５０−２）は、弾性を有する金属の導電材料からなる。レセコンタクト１５０は、例えば、銅、リン銅等の金属棒を加工することで形成されている。
【００５９】
レセコンタクト１５０は、図９に示すように、レセハウジング１１０に固定される固定片部１５２と、固定片部１５２の一端側で連なり、外部に突出する脚部１５３と、固定片部１５２の他端側で連なる分岐接点部１５４と、を有する。
【００６０】
固定片部１５２は、図９及び図１０に示すように、底面部１１１の底部長辺部１１１ａ、１１１ｂ内に、長辺壁部１１２の厚み方向に沿って埋設されている。
【００６１】
この固定片部１５２の一端部側から脚部１５３が、底面部１１１の底部長辺部１１１ａの下面から、他端部側から離れる方向に（ここでは、レセプタクルの前後方向にそれぞれ）突出して設けられている。脚部１５３は、レセプタクル１００が搭載される基板の回路等に固定され、基板と導通可能に接続される。
【００６２】
分岐接点部１５４は、底部長辺部１１１ａ（１１１ｂ）から切欠孔１１７−１（１１７−２）内に延出するアーム１５６からプラグ（相手コネクタに対応）１００の挿入方向と逆方向、各図では、上方に向かって屈曲し、二股に分岐する一対の分岐片１５４１、１５４２を有する。
【００６３】
分岐片１５４１、１５４２は、開口部１０２（１０２−１、１０２−２）内に配置され、互いに離れる方向に弾性変形自在である。
【００６４】
分岐接点部１５４は、固定片部１５２の他端部に連続し、且つ、切欠孔１１７−１（１１７−２）に突出するアーム１５６から上方（開口部１０２側）に屈曲して形成されている。これにより、分岐接点部１５４は、アーム１５６を介して、開口部１０２−１、１０２−２内で、周囲のレセプタクル２００の構成体から離間するように配置されている。
【００６５】
分岐片１５４１、１５４２は、プラグ２００（詳細にはプラグコンタクト２５０の棒状接点部２５２）の挿入方向及び挿入方向とは逆方向に延在し、且つ、長辺壁部２１１、２１３の延在方向で互いに対向する破断面を有する。この破断面は、レセコンタクト１５０において分岐接点部１５４を二股に分けた際に形成される面である。
【００６６】
分岐片１５４１、１５４２は、弾性変形によりそれぞれ、互いに離れる方向、つまり、分岐片１５４１、１５４２でそれぞれ対向する破断面が、互いに離れる方向に変位する。
分岐片１５４１、１５４２が互いに離れる方向は、長辺壁部１１２、１１３の厚み方向と直交（交差）する長手方向であり、レセコンタクト１５０が配置されるピッチ方向に相当する。
【００６７】
この分岐接点部１５４は、一対の分岐片１５４１、１５４２間に挿入されるプラグ２００のプラグコンタクト２５０を、弾性変形により一対の分岐片１５４１、１５４２で電気的に接続可能に挟持する。詳細には、分岐接点部１５４は、一対の分岐片１５４１、１５４２のそれぞれの破断面で棒状接点部２５２を挟持することで棒状接点部２５２と導通可能に接続する。分岐接点部１５４の分岐片１５４１、１５４２による棒状接点部２５２の挟持動作は、位置決め手段（図６に示す係合口部１６２、１６３、位置決めリブ１３０）によりコンタクト２５０、１５０同士の接続位置が位置決めされた際に行われる。
【００６８】
また、分岐接点部１５４では、分岐片１５４１、１５４２の先端部、つまり、分岐接点部１５４の先端部には、互いの分岐片１５４１、１５４２に向かって下るテーパ１５４１ａ、１５４２ａが付けられている。テーパ１５４１ａ、１５４２ａは、それぞれ先端（上端）から挿入方向で互いに接近する。また、これらテーパ１５４１ａ、１５４２ａとともに、分岐片１５４１、１５４２の先端部には、分岐片１５４１、１５４２の互いに向かって突出する爪部１５４１ｂ、１５４２ｂが形成されている。分岐接点部１５４は、爪部１５４１ｂ、１５４２ｂにより分岐片１５４１、１５４２で挟持する棒状接点部２５２が挿入方向と逆方向（上向き）に移動して、分岐片１５４１、１５４２から抜けにくい構成となっている。
【００６９】
これら一対の分岐片１５４１、１５４２は、図１０に示すように、長手方向（ピッチ方向）で並ぶ位置決めリブ１３０に対向して配置されている。具体的には、一対の分岐片１５４１、１５４２の先端におけるテーパ１５４１ａ、１５４２ａは、位置決めリブ１３０のガイドテーパ部１３５、１３４に対して、正面視して重なる位置に配置されている。分岐片１５４１、１５４２の先端におけるテーパ１５４１ａ、１５４２ａの傾斜度合いは、正面視して、ピッチ方向に並ぶ位置決めリブ１３０のガイドテーパ部１３５、１３４の傾斜度合いと略一致している。
【００７０】
言い換えれば、位置決めリブ１３０は、正面視して、ピッチ方向で隣り合う分岐接点部１５４間に配置されている。加えて、位置決めリブ１３０は、図中左のガイドテーパ部１３４を、隣り合う一方の分岐接点部１５４の右側のテーパ１５４２ａに重ね、図中右のガイドテーパ部１３５を、隣り合う他方の分岐接点部１５４の左側のテーパ１５４１ａに重ねて配置されている。
【００７１】
なお、このレセコンタクト１５０は、本実施の形態では、ハウジング１１０にインサート成形によって一体成形されている。
【００７２】
上述したコネクタ装置１０において、レセプタクル１００とプラグ２００とを嵌合する際の動作を説明する。
【００７３】
＜レセプタクルコネクタ１００とプラグコネクタ２００の嵌合＞
図１１は、レセプタクルコネクタとプラグコネクタとの嵌合動作を示す要部断面図であり、図１１Ａから図１１Ｅは嵌合動作の一連の流れを示す。なお、図１１では、位置決めリブ１３０を長手方向に切断して、対向する分岐接点部１５４を見た図である。また、図１２は、レセプタクルコネクタとプラグコネクタとの嵌合動作を示す要部断面図である。
【００７４】
先ず、図１１Ａに示すように、プラグ２００において長手方向（図では左右方向）に離間する短辺壁部２１５、２１６の突出部分である係合凸部２１５ｂ、２１６ｂを、それぞれレセプタクル１００の短辺壁部１１５、１１６の係合口部１６２、１６３に対応させて挿入する。このとき、プラグ２００の短辺壁部２１５、２１６の係合凸部２１５ｂ、２１６ｂのテーパ部２１７、２１８がそれぞれ、短辺壁部１１１５、１１６の上端縁に沿って移動して、係合口部１６２、１６３内に案内される。例えば、図１２Ａに示すように、プラグ２００の短辺壁部２１５が、レセプタクル１００の短辺壁部２１５に対して左方向にずれていても、テーパ部２１７、２１８でレセプタクル１００の短辺壁部１１５、１１６を摺動する。
【００７５】
この係合凸部２１５ｂ、２１６ｂと係合口部１６２、１６３との係合によって、プラグ２００は、レセプタクル１００に対して、互いの外形形状により大まかに、互いのコンタクト１５０、２５０同士の接続位置に案内する。
【００７６】
次いで、プラグ２００の両短辺壁部２１５、２１６の係合凸部２１５ｂ、２１６ｂは、短辺壁部１１５、１１６の係合口部１６２、１６３内に挿入される（図１１Ｂ参照）。
【００７７】
この係合凸部２１５ｂ、２１６ｂの係合口部１６２、１６３への挿入は、レセプタクル１００とプラグ２００の嵌合時において、双方１００、２００を、互いの外形形状により互いのコンタクト１５０、２５０同士の接続位置に位置決めする。
【００７８】
更に、プラグ２００がレセプタクル１００に挿入方向で（ここでは上方から）挿入する。すると、図１１Ｃ及び図１１Ｃの部分拡大図である図１２Ｂに示すように、プラグ２００のプラグコンタクト２５０（詳細には棒状接点部２５２）が位置決めリブ１３０間に挿入される。そして、さらにプラグコンタクト２５０（詳細には棒状接点部２５２）が挿入されると、図１１Ｄに示すように、位置決めリブ１３０は、ガイドテーパ部１３４、１３５によって、分岐接点部１５４の一対の分岐片１５４１、１５４２間に案内する。
【００７９】
図１２Ｃは、図１１Ｄにおける棒状接点部２５２と分岐接点部１５４とを示す部分拡大図である。
【００８０】
図１２Ｃに示すように、プラグコンタクト２５０（棒状接点部２５２）は、それぞれ、位置決めリブ１３０のガイドテーパ部１３４、１３５によって、分岐接点部１５４の一対の分岐片１５４１、１５４２間に好適に案内される。
【００８１】
そして、更に、プラグ２００がレセプタクル１００側に挿入方向で（ここでは上方から）挿入されると、プラグコンタクト２５０（棒状接点部２５２）が、分岐接点部１５４の一対の分岐片１５４１，１５４２間に挿入される。つまり、棒状接点部２５２が一対の分岐片１５４１、１５４２において互いに対向する破断面間に挿入される。これに伴い、一対の分岐片１５４１、１５４２は、互いに離れる方向（長手方向、ピッチ方向）に変位する。
【００８２】
そして、図１１Ｅに示すように、一対の分岐片１５４１、１５４２間の基端側まで、プラグコンタクト２５０（棒状接点部２５２）は挿入される。これにより、図１３に示すように、棒状接点部２５２は、分岐片１５４１、１５４２の復帰力により分岐片１５４１、１５４２の破断面で導通可能に挟持され、更に、爪部１５４１ｂ、１５４２ｂによって、抜けないように挟持される。これにより、プラグコンタクト２５０とレセコンタクト１５０とは導通可能に接続する。
【００８３】
本実施の形態のコネクタ装置１０によれば、レセハウジング１１０には係合口部１６２、１６３が形成され、係合口部１６２、１６３は、プラグ２００の一部である係合凸部２１５ｂ、２１６ｂと挿入方向で係合して、コンタクト同士の接続位置を位置決めする。
【００８４】
また、レセハウジング１１０に形成された位置決めリブ１３０は、プラグ２００の開口部２３０に挿入されて、棒状接点部２５２をレセコンタクト１５０に案内する。
【００８５】
このように、レセプタクル１００とプラグ２００との嵌合による互いのコンタクト１５０、２５０同士の接続位置が、係合口部１６２、１６３と、位置決めリブ１３０とで、２段階で順に、負荷が掛かることなく正確に位置決めされる。
【００８６】
図１４は、図１１ＥのＤ−Ｄ線部分の断面図である。図１４に示すように、プラグ２００の長辺壁部２１１、２１２は、レセプタクル１００の底部長辺部１１１ａ、１１１ｂ上に位置するとともに、レセプタクル１００の長辺壁部１１２、１１３と、長辺壁部１１２、１１３のそれぞれと対向する分岐接点部１５４との間に嵌合する。また、中央梁部２１３は、位置決めリブ１３０−１、１３０−２間で嵌合する。
【００８７】
レセコンタクト１５０は、ハウジング１１０に、 開口部１０２−１、１０２−２内で、プラグ２００の挿入方向と逆方向に二股に分岐して設けられ、互いに離れる方向に弾性変形自在な一対の分岐片１５４１、１５４２を含む分岐接点部１５４を有する。分岐接点部１５４は、係合口部１６２、１６３により接続位置が位置決めされた際に、一対の分岐片１５４１、１５４２間に挿入される棒状接点部２５２を、弾性変形して復帰する際の付勢力により導通可能に挟持する。棒状接点部２５２は、長辺壁部１１２、１１３の厚み方向に水平に延在する。また、分岐接点部１５４は、位置決めリブ１３０によりプラグ２００のプラグコンタクト２５０の接続位置が位置決めされた際に、一対の分岐片１５４１、１５４２間に挿入される棒状接点部２５２を導通可能に挟持する。
【００８８】
このように本実施の形態では、プラグ２００の棒状接点部２５２を、分岐接点部１５４で、挿入方向に対して逆の向きに分岐した一対の分岐片１５４１、１５４２の対向面（破断面）で、ピッチ方向で挟持する。これにより、プラグ２００側のコンタクトの構成を、一対の分岐片１５４１、１５４２で挟持される棒状に突出する形状にして簡略化できる。すなわち、基板同士を電気的に接続する従来のコネクタ装置の構成と異なり、プラグとレセプタクルの両コンタクトを確実に接続させるために、レセプタクルへの挿入深さに相当するプラグの凸部の突出長さを、所定の長さ分を確保する必要がない。
【００８９】
図１５は、比較例としてのコネクタ装置１のプラグ２とレセプタクル３との嵌合を示す図である。図１５に示すコネクタ装置１は、プラグ２において外面にプラグコンタクト２が配置された凸部２ｂをレセプタクル３の開口部３ａ内のレセコンタクト４のＵ字溝状導通部４ａ内に挿入してレセプタクル３の側壁５と離間する方向に移動させた状態でプラグコンタクト２の露出部２ａに接続する構成である。
【００９０】
図１４に示す本実施の形態のコネクタ装置１０では、上方から挿入される略水平に延在する棒状接点部２５２を、その延在方向と直交する方向に変位する一対の分岐片１５４１，１５４２で挟持する。これにより、プラグ側の挿入深さを確保して、その長さ分、プラグ側のコンタクトを受けるレセプタクル側のコンタクトの変形領域を確保する等のような互いのコンタクトの係合力を高める構成にする必要が無い。図１５の比較例の構成の挿入深さａと異なり、挿入方向の長さｂ＜ａにすることができ、つまり、コネクタ装置の高さを低くできる。つまり、低背化を実現できる。
【００９１】
このように、本実施の形態によれば、コネクタ装置１０が実装される電子機器自体の薄型化を図ることができる。また、従来のＵ字溝状導通部と異なり、レセプタクル側のコンタクトを、凸部の外面のコンタクトとの接触圧を確保するために、側壁と離間する方向の長さを確保する必要がない。このように、本実施の形態のコネクタ装置１０は、簡易な構成で安定した電気的接続を行えるとともに、小型化及び低背化を実現できる。
【００９２】
また、係合口部１１５、１１６は、開口部１０２−１、１０２−２を挟み、一対の分岐片１５４１、１５４２の互いに離れる方向で離間して配置され、プラグ２００の係合凸部２１５ｂ、２１６ｂと挿入方向で係合する。係合口部１１５、１１６とプラグ２００の係合凸部２１５ｂ、２１６ｂとを係合するだけで、コンタクト１５０、２５０同士の接続位置の位置決めを大まかに行うことができる。
【００９３】
位置決めリブ１３０は、分岐接点部１５４に対して、一対の分岐片１５４１、１５４２の互いに離れる方向と直交する方向で対向し、且つ、開口部１０２−１、１０２−２を仕切る底面部１１１から突出して設けられ、プラグ２００の開口部（係合凹部）２３０に挿入されてコンタクト１５０、２５０同士の接続位置の位置決めを行う。
【００９４】
これによりレセプタクル１００とプラグ２００とを挿入して嵌合する際に、互いに対応するコンタクト１５０、２５０同士を容易で正確に、且つ、一度に接続できる。
【００９５】
また、レセプタクル１００及びプラグ２００はともに、ハウジング１１０、２１０に対して、コンタクト１５０、２５０をインサート成形によって一体に成形している。特に、分岐接点部１５４は、開口部１０２−１、１０２−２内で浮いた位置、つまり、周囲の構成体と離間した位置に配置されている。これにより、分岐接点部１５４は、インサート成形によって、樹脂が付着することなく、レセハウジング１１０に設けられる。よって、従来と異なり、蛇腹等の複雑な形状のコンタクトをハウジングに組み込む場合の手作業での組み立てる必要がなく、生産性の向上を図ることができる。
【００９６】
さらに、分岐接点部１５４は、開口部１０２−１、１０２−２内で浮いた位置、つまり、周囲の構成体と離間した位置に配置され、且つ、プラグ２００の挿入方向と逆方向に二股に分岐する一対の分岐片１５４１，１５４２を含む。これにより、プラグ２００のレセプタクル１００への挿入により両者が嵌合した際、挿入方向に対する垂直方向のずれに対し、弾性変形により追従して、プラグコンタクト２５０との接続を安定させた状態で挟持できる。
【００９７】
また、レセプタクル１００において、位置決めリブ１３０は、長辺壁部１１２、１１３のそれぞれとともにレセコンタクト１５０を挟む位置に配置されている。これにより、プラグ２００を挿入する際に、レセコンタクト１５０が配置された開口部１０２−１、１０２−２内にプラグ２００が入り込むことがなく、プラグ２００の接触による変形を防止できる。
【００９８】
なお、プラグコンタクト２５０−１、２５０−２は、中央梁部２１３とそれぞれ対向する長辺壁部２１１、２１２間に架設された構成としたが、中央梁部２１３或いは長辺壁部２１１、２１２からのみ突出する片持ち式の構造としてもよい。この場合、プラグコンタクト２５０（２５０−１、２５０−２）は、突出する中央梁部２１３或いは長辺壁部２１１、２１２により支持される。
【００９９】
（実施の形態２）
＜コネクタ装置の全体構成＞
図１６は、本発明の実施の形態２のコネクタ装置の概要を示す斜視図であり、図１７は、同コネクタ装置においてレセプタクルコネクタからプラグコネクタを外した状態を示す斜視図である。
【０１００】
なお、本実施の形態２において、コネクタ装置２０の各部の構成及び動作を説明するために使用される正（前）、背（後）、平（上）、底（下）、左、右等の方向を示す表現は、絶対的なものでなく相対的なものである。これら方向を示す表現は、各コネクタの各部が図に示される姿勢である場合に適切であるが、その姿勢が変化した場合には姿勢の変化に応じて変更して解釈されるべきものである。
【０１０１】
図１６及び図１７に示すコネクタ装置２０は、レセプタクルコネクタ（以下、「レセプタクル」と称する）１００Ａと、レセプタクルコネクタ１００Ａと嵌合可能に形成されたプラグコネクタ（以下、「プラグ」と称する）２００Ａとを備える。コネクタ装置２０は、図１７に示すプラグ２００Ａをレセプタクル１００Ａに挿入して互いに嵌合（図１６の状態）させる。これにより、レセプタクル側のコンタクト（以下、「レセコンタクト」と称する）３５０と、プラグ側のプラグコンタクト２５０Ａとが電気的に接続される。
【０１０２】
＜プラグコネクタ２００Ａの構成＞
まず、レセプタクル１００Ａに嵌合するプラグ２００Ａについて説明する。
【０１０３】
図１８は、本実施の形態２のコネクタ装置のレセプタクルコネクタに嵌合するプラグコネクタの説明に供する図であり、図１８Ａは、プラグコネクタの嵌合側からみた斜視図、図１８Ｂは、プラグコネクタにおいて嵌合側の面となる底面図である。また、図１９は、図１８ＢのＥ−Ｅ線断面図、図２０は、図１８ＢのＦ−Ｆ線断面図である。なお、図１９、図２０では、それぞれレセプタクルコネクタに嵌合する側は、上側となる。
【０１０４】
プラグ２００Ａは、合成樹脂材料など絶縁材料により形成されるプラグハウジング２１０Ａと、導電性を有しプラグハウジング２１０Ａに取り付けられるプラグコンタクト２５０Ａとを有する。なお、本実施の形態２では、実施の形態１のコネクタ装置１０と同様に、プラグ２００Ａを接続相手である相手コネクタとし、プラグハウジングを接続相手の相手コネクタのハウジングとし、更に、プラグコンタクト２５０Ａを相手コネクタのコンタクトとして説明する。
【０１０５】
プラグハウジング２１０Ａは、レセプタクル１００Ａのレセプタクルハウジング（以下、「レセハウジング」と称する）１１０Ａ（図１７参照）に嵌合自在な形状に形成されている。
【０１０６】
プラグハウジング２１０Ａは、互いに平行な長辺壁部２１、２２と、これら長辺壁部２１、２２間で長辺壁部２１、２２と平行に配置される中央梁部２３と、これら長辺壁部２１、２２と中央梁部２３が架設される短辺壁部２５、２６とを有する。
【０１０７】
長辺壁部２１、２２は、それぞれの両端部（図１８では左右の端部）で接合された短辺壁部２５、２６とで矩形枠を形成し、離間する長辺壁部２１、２２間には、中央梁部２３が配設されている。これら長辺壁部２１、２２と中央梁部２３は、長辺壁部２１、２２と中央梁部２３の長手方向に沿って所定間隔を空けて配置された複数のプラグコンタクト２５０Ａを支持している。また、長辺壁部２１、２２には、レセプタクル１００Ａと嵌合した際に、レセプタクル１００の孔部１８に掛止してプラグ２００Ａの抜けを防止する抜け防止爪部２１ａ、２２ａが突出して設けられている。
【０１０８】
中央梁部２３の両端部は、短辺壁部２５、２６にそれぞれ接合している。中央梁部２３の下面、つまり、レセプタクル１００Ａへの挿入方向（嵌合方向）側の面には、長手方向に延在する溝部２３ａが形成されている。
【０１０９】
図１７及び図１８に示すプラグ２００Ａの短辺壁部２５、２６は、それぞれレセプタクル１００Ａの位置決め係合口部（以下、「係合口部」と称する）１６２Ａ、１６３Ａ（図１７参照）に対応した外形を有する。ここでは、短辺壁部２５、２６の外周は、係合口部１６２Ａ、１６３Ａに対応して平面視台形状に形成されている。
【０１１０】
短辺壁部２５、２６は、挿入方向側（下面側）に突出して形成され、且つ、係合口部１６２Ａ、１６３Ａへの挿入をガイドする係合凸部２５ｂ、２６ｂを有する。これら係合凸部２５ｂ、２６ｂの外面は、係合口部１６２Ａ、１６３Ａへの挿入を案内するようテーパ状となっている。なお、係合凸部２５ｂ、２６ｂのテーパ部分は、係合凸部２５ｂ、２６ｂの外面において、突出した先端部外縁の全周に亘って形成されている。係合凸部２５ｂ、２６ｂは、被係合部に対応し、係合口部１６２Ａ、１６３Ａは、位置決め手段であり、第１係合部に対応する。
【０１１１】
また、これら係合凸部２５ｂ、２６ｂは、図２０に示すように、それぞれ、挿入により係合口部１６２Ａ、１６３Ａに係合した際に、係合口部１６２Ａ、１６３Ａ側に突設された突起部１７に引っ掛かる係合爪部２５ａ、２６ａが形成されている。係合爪部２５ａ、２６ａは、短辺壁部２５、２６（係合凸部２５ｂ、２６ｂ）の挿入方向と交差する方向に突設されており、係合口部１６２Ａ、１６３Ａに係合する際に、弾性変形した後、突起部１７に掛合することで、係合凸部２５ｂ、２６ｂが係合口部１６２Ａ、１６３Ａからの引抜方向への移動を規制（抜け防止）する。
【０１１２】
図１８に戻り、プラグコンタクト２５０Ａは、リン青銅等の導電性を有する棒状の金属材料から構成された材料を加工して形成されている。
【０１１３】
プラグコンタクト２５０Ａ（２５０Ａ−１、２５０Ａ−２）は、図１９に示すように、中央梁部２３と長辺壁部２１、２２との間に形成される開口部２３０Ａ（２３０Ａ−１、２３０Ａ−２）内に、中央梁部２３及び長辺壁部２１、２２の厚み方向（図１７における前後方向）に延びるように配置されている。なお、中央梁部２３及び長辺壁部２１、２２の厚み方向は、レセプタクル１００Ａの長辺壁部１２、１３（図１７参照）の厚み方向に相当する。
【０１１４】
図１９に示すように、ここでは、プラグコンタクト２５０Ａ（２５０Ａ−１、２５０Ａ−２）は、中央梁部２３及び長辺壁部２１の間と、中央梁部２３及び長辺壁部２２間にそれぞれ架設されている。これらプラグコンタクト２５０Ａは、プラグ２００Ａにおいて、それぞれ中央梁部２３を中心に前後に、背中合わせで対称に設けられている。
【０１１５】
すなわち、プラグコンタクト２５０Ａは、中央梁部２３及び長辺壁部２１間の開口部２３０内及び中央梁部２３と長辺壁部２２間の開口部２３０Ａ−１、２３０Ａ−２内のそれぞれで、長手方向（図１８では左右方向）に一列に並んでいる。図１９に示すように、プラグコンタクト２５０Ａは、全体として、プラグハウジング２１０Ａに対して、長手方向に２列でそれぞれ異なる信号、電源を接続可能となっている。
【０１１６】
プラグコンタクト２５０Ａは、中央梁部２３及び長辺壁部２１、２２間に架設されることで、中央梁部２３と長辺壁部２１、２２で固定支持され、中央梁部２３と長辺壁部２１、２２の間のそれぞれで、略水平方向に延在して露出している。
【０１１７】
プラグコンタクト２５０Ａ−１、２５０Ａ−２において、中央梁部２３と長辺壁部２１、２２間で外部に露出する部分が、レセコンタクト３５０と接続する棒状のプラグ接点部２５２Ａを構成する。ここでは、プラグ接点部（以下、「棒状接点部」と称する）２５２Ａの下部（挿入方向側の部位）は、図２１に示すように、下部の角部がＲ状に形成された断面矩形状に形成されており、プラグ２００Ａとレセプタクル１００Ａとを嵌合した際に、レセコンタクト３５０と面接触し易くなっている。
【０１１８】
詳細には、棒状接点部２５２Ａは、レセコンタクト３５０において棒状接点部２５２Ａの挿入方向とは逆の方向に二股に分岐して構成された分岐接点部３５４の破断面（図２５に示す分岐片３５４１、３５４２の互いに対向する面）で導通可能に挟持される。このとき、断面矩形状の棒状接点部２５２Ａの下部の角部をＲ状にしたＵ字状であるため、分岐面（破断面）と好適に面接触する。なお、棒状接点部２５２Ａの下部を、断面Ｖ字状に形成しても同様の作用効果を得ることができる。
【０１１９】
また、棒状接点部２５２Ａと連続し、且つ、長辺壁部２１、２２の外面からそれぞれ前後側に突出する部分が、脚部２５４Ａを構成する。脚部２５４Ａは、基板の回路等に固定され、基板と導通可能に接続される。なお、本実施の形態におけるプラグコンタクト２５０Ａは、プラグハウジング２１０Ａにインサート成形によって一体成型されている。脚部２５４Ａは、基板に取り付けられる面側を切り欠いた形状をなしている。プラグコンタクト２５０Ａを、プラグハウジング２１０Ａにインサート成形する際には、各脚部２５４Ａを介してランナーに複数一様に並んだ状態で成形される。そして、成形後、接続される脚部２５４Ａを切断する際に、プラグ２００Ａ自体が小型化されているため、複数の脚部２５４Ａを、ランナーから実装面とは逆側の面から切断することが望まれる。この接断時にバリが発生しても、切り欠き部内にバリが位置することになり、脚部２５４Ａの実装面はフラット状態を確保できる。なお、この構成は、レセプタクル１００Ａのレセコンタクト３５０にも適用される。
【０１２０】
＜レセプタクルコネクタ１００Ａの構成＞
図２２は、本発明の実施の形態２のコネクタ装置におけるレセプタクルコネクタの平面図であり、図２３は、同コネクタ装置におけるレセプタクルコネクタの底面図である。また、図２４は、図２２のＧ−Ｇ線断面図である。
【０１２１】
図１７、図２２及び図２３に示すレセプタクル１００Ａは、接続相手であるプラグ２００Ａのプラグハウジング２１０Ａと対応した係合自在な形状のレセハウジング１１０Ａと、プラグコンタクト２５０Ａと接続するレセコンタクト３５０とを有する。更に、レセプタクル１００Ａは、プラグ２００Ａの一部と挿入方向で係合して、プラグコンタクト２５０とレセコンタクト３５０と同士の接続位置を位置決めする位置決め手段（係合口部１６２Ａ、１６３Ａ）を有する。位置決め手段は、ハウジング１１０Ａに形成されている。
【０１２２】
また、レセコンタクト３５０−１、３５０−２は、レセハウジング１１０Ａにおいて、レセハウジング１１０Ａの前後方向の中心で前後対称に、且つ、それぞれプラグコンタクト２５０Ａ−１、２５０Ａ−２に対応して長手方向に同ピッチで、複数配置されている。
【０１２３】
レセハウジング１１０Ａは、合成樹脂材料など絶縁材料により形成される。レセハウジング１１０Ａは、上面側の中央部分を凹状に形成されており、この凹状内にプラグハウジング２１０Ａが挿入される。レセハウジング１１０Ａは、長辺壁部１２、１３に沿って形成され、且つ、上方に開口し、前記凹状部分の一部である開口部１０２Ａ（１０２Ａ−１、１０２Ａ−２）を有する。これら開口部１０２Ａ（１０２Ａ−１、１０２Ａ−２）内には、プラグコンタクト２５０Ａ（２５０Ａ−１、２５０Ａ−２）、つまり、棒状接点部２５２Ａが、長辺壁部１２、１３の壁厚方向に延在した状態で挿入される。すなわち、開口部１０２Ａ−１、１０２Ａ−２内で、レセコンタクト３５０−１、３５０−２は、図１８Ａ及び図１９に示すプラグコンタクト２５０Ａ−２、２５０Ａ−１と接続する。
【０１２４】
具体的には、図２２に示すレセハウジング１１０Ａは、平行に離間して配置された前後側の長辺壁部１２、１３及び中央長辺壁部１４と、長辺壁部１２、１３及び中央長辺壁部１４のそれぞれの両端部に直交して接合された短辺壁部１５、１６とを有する。
【０１２５】
図２２及び図２３に示すように、レセハウジング１１０Ａは、短辺壁部１５、１６と前後側の長辺壁部１２、１３とで形成された平面視矩形枠を構成し、短辺壁部１５、１６の中央部分に中央長辺壁部１４を左右に亘って設けた形状をなしている。これにより、レセハウジング１１０Ａでは、短辺壁部１５、１６と長辺壁部１２と中央長辺壁部１４とが開口部１０２Ａ−１を形成し、短辺壁部１５、１６と中央長辺壁部１４と後の長辺壁部１３とが開口部１０２Ａ−２を形成している。
【０１２６】
長辺壁部１２、１３には、図１７に示すように、中央長辺壁部１４に対向する側の面（開口部１０２Ａ−１、１０２Ａ−２を仕切る面、仕切面とも称する）に、孔部１８が形成されている。孔部１８は、長辺壁部１２、１３の仕切面に、それぞれ嵌合するプラグ２００Ａの抜け防止爪部２１ａ（図１８参照）、２２ａ（図１７参照）の位置に対応して形成されている。ここでは、孔部１８は、長辺壁部１２、１３のそれぞれに、仕切面を厚み方向（前後方向）に貫通して設けられている。
【０１２７】
開口部１０２Ａ−１、１０２Ａ−２内には、長辺壁部１２、１３の下部から突出するレセコンタクト３５０（３５０−１、３５０−２）の分岐接点部３５４が長手方向に複数並んで配置されている。レセコンタクト３５０についての詳細は後述する。
【０１２８】
短辺壁部１５、１６は、図１７及び図２２に示すように、開口部１０２Ａ（１０２Ａ―１、１０２Ａ−２）を挟み、レセコンタクト３５０のピッチ方向に離間して配置されている。短辺壁部１５、１６には、プラグ２００Ａとの嵌合側、つまり、上面側に開口する係合口部（第１係合部）１６２Ａ、１６３Ａが設けられている。
【０１２９】
係合口部（第１係合部）１６２Ａ、１６３Ａは、長辺壁部１２、１３及び中央長辺壁部１４が囲む開口部１０２Ａ（１０２Ａ−１、１０２Ａ−２）と連続しており、プラグ２００Ａが挿入されて嵌合する凹状部分を構成する。詳細には、係合口部１６２Ａ、１６３Ａには、プラグ２００Ａ一部である係合凸部２５ｂ、２６ｂが、プラグコンタクト２５０及びレセコンタクト３５０同士を適切な接続位置で接続するように案内しつつ挿入される。これにより、係合口部１６２Ａ、１６３Ａは、係合凸部２５ｂ、２６ｂとともにプラグ２００Ａの短辺壁部２５、２６と係合する。係合口部１６２Ａ、１６３Ａは、レセプタクル１００Ａに対してプラグ２００Ａを接続する際の左右方向での位置決めを行う。
【０１３０】
中央長辺壁部１４では、図２４に示すように、レセハウジング１１０Ａにおいて、プラグハウジング２１０Ａが挿入される凹状部分に位置する上部分１４１が、底面部を構成する下部分１４２よりも厚みを薄く（前後方向の長さを短く）なるように形成されている。これにより、中央長辺壁部１４は、長手方向に延在するとともに上方に向かって突出する断面凸状の突条となっている。この中央長辺壁部１４における凸状部分（上部分１４１）は、プラグハウジング２１０Ａにおける中央梁部２３の溝部２３ａに挿入して嵌合し、両ハウジング１１０Ａ、２１０Ａの嵌合の際の位置決めとしての機能を有する。
【０１３１】
また、凸状部分の長手方向で離間する両端部には、突起部１７が、短辺壁部１５、１６の側に突出して設けられている。突起部１７は、それぞれ短辺壁部１５、１６の係合口部１６２Ａ、１６３Ａ上に位置するように配置されており、係合凸部２５ｂ、２６ｂ（図１８参照）が、係合口部１６２Ａ、１６３Ａに係合する際に、係合爪部２５ａ、２６ａと係合する。なお、係合の際には、係合爪部２５ａ、２６ａが弾性変形するものとして説明したが、係合爪部２５ａ、２６ａと掛合する突起部１７を挿入時に弾性変形する構成としてもよい。この突起部１７の上面には、係合口部１６２Ａ、１６３Ａ側に向かって下るテーパが付けられている。
【０１３２】
ここで、レセコンタクト（レセプタクルコンタクト）３５０について詳細に説明する。図２５は、開口部内に配置されるレセコンタクト３５０の分岐接点部を示す図である。
【０１３３】
図１７及び図２２〜図２５に示すレセコンタクト３５０（３５０−１、３５０−２）は、弾性を有する金属の導電材料からなる。レセコンタクト３５０は、例えば、リン青銅等の金属棒或いは金属板を加工することで形成されている。
【０１３４】
レセコンタクト３５０は、図２４に示すように、レセハウジング１１０Ａに固定される固定片部３５２と、固定片部３５２の一端側で連なり、外部に突出する脚部３５３と、固定片部３５２の他端側で連なる分岐接点部３５４と、を有する。
【０１３５】
固定片部３５２は、図２３及び図２４に示すように、長辺壁部１２、１３の下部内に、長辺壁部１２、１３の厚み方向（前後方向）に沿って延在するように埋設されている。
【０１３６】
この固定片部３５２の一端部側から脚部３５３が、長辺壁部１２、１３の下面縁部から、それぞれ長辺壁部１２、１３から離れる方向（ここでは、レセプタクル１００Ａの前後方向）に突出している。脚部３５３は、レセプタクル１００Ａが搭載される基板の回路等に固定され、基板と導通可能に接続される。
【０１３７】
分岐接点部３５４は、長辺壁部１２、１３の仕切面の下部から開口部１０２Ａ−１、１０２Ａ−２内に延出するアーム３５６の先端に連続して形成されている。
【０１３８】
分岐接点部３５４は、アーム３５６の先端からプラグ（相手コネクタに対応）２００Ａの挿入方向とは逆の方向（上方であり、引抜方向ともいう）に向かって屈曲して設けられている。なお、アーム３５６は、固定片部３５２の他端部からに連続して形成されている。これにより、分岐接点部３５４は、アーム３５６を介して、開口部１０２Ａ−１、１０２Ａ−２内で、周囲のレセプタクル２００Ａの構成体から離間するように配置されている。
【０１３９】
分岐接点部３５４は、図２２、図２３及び図２５に示すように、アーム３５６からプラグ（相手コネクタに対応）１００Ａの挿入方向と逆方向、各図では、上方に向かって二股に分岐する一対の分岐片３５４１、３５４２を有する。
【０１４０】
分岐片３５４１、３５４２は、プラグ２００Ａ（詳細にはプラグコンタクト２５０Ａの棒状接点部２５２Ａ）の挿入方向及び挿入方向とは逆方向に沿って延在し、且つ、長辺壁部２１１、２１３の延在方向で互いに対向する破断面３５ａ、３５ｂ（図２５参照）を有する。破断面３５ａ、３５ｂは、例えば、レセコンタクト３５０を作成する際に、導電性を有する板状材の一部を切り欠く等により加工して、分岐接点部３５４を二股に分けた際に形成される面である。
【０１４１】
分岐片３５４１、３５４２は、開口部１０２Ａ（１０２Ａ−１、１０２Ａ−２）内において、互いに離れる方向に弾性変形自在である。詳細には、分岐片３５４１、３５４２は、図２５に示すように、弾性変形によりそれぞれ、互いに離れる方向、つまり、分岐片３５４１、３５４２のそれぞれで対向する破断面３５ａ、３５ｂが、互いに離れる方向に変位する。分岐片３５４１、３５４２が互いに離れる方向は、長辺壁部１２、１３の厚み方向と直交（交差）するレセプタクル１００Ａの長手方向であり、レセコンタクト３５０が配置されるピッチ方向に相当する。
【０１４２】
この分岐接点部３５４は、一対の分岐片３５４１、３５４２間に挿入されるプラグ２００Ａのプラグコンタクト２５０Ａ（図１８、図１９参照）を、弾性変形により一対の分岐片３５４１、３５４２で電気的に接続可能に挟持する。詳細には、分岐接点部３５４は、一対の分岐片３５４１、３５４２のそれぞれの破断面３５ａ、３５ｂで、プラグコンタクト２５０Ａの棒状接点部２５２Ａ（図１９参照）を挟持することで棒状接点部２５２Ａと導通可能に接続する。分岐接点部３５４の分岐片３５４１、３５４２による棒状接点部２５２Ａの挟持動作は、位置決め手段（図２２に示す係合口部１６２Ａ、１６３Ａ）によりコンタクト２５０Ａ、３５０同士の接続位置が位置決めされた際に行われる。
【０１４３】
また、分岐接点部３５４では、分岐片３５４１、３５４２の先端部、つまり、分岐接点部３５４の先端部には、互いの分岐片３５４１、３５４２に向かって下るテーパ３５４１ａ、３５４２ａが付けられている。テーパ３５４１ａ、３５４２ａは、それぞれ先端（上端）から挿入方向で互いに接近する。また、これらテーパ３５４１ａ、３５４２ａを有する分岐片３５４１、３５４２の先端部は、分岐片３５４１、３５４２の互いに向かって突出するフック部３５８、３５９を構成する。
【０１４４】
フック部３５８、３５９は、プラグコンタクト２５０Ａの棒状接点部２５２Ａを挟持した際に、棒状接点部２５２Ａの上面（挿入方向側の面とは逆側の面）、詳細には上端面で接触するフック面３５８ａ、３５９ａを有する。
【０１４５】
フック部３５８、３５９のフック面３５８ａ、３５９ａは、分岐片３５４１、３５４２の破断面３５ａ、３５ｂの一部（フック部３５８、３５９の下部分）をそれぞれ切り欠く（くり抜き部３５ｃ、３５ｄを形成する）ことで形成される。ここでは、円弧状のくり抜き部（切り欠き部）３５ｃ、３５ｄを形成している。
【０１４６】
すなわち、破断面３５ａ、３５ｂにくり抜き部３５ｃ、３５ｄを形成することによって、フック面３５８ａ、３５９ａの先端部３５８ｂ、３５９ｂは、挟持した棒状接点部２５２Ａの上面側の角部よりも棒状接点部２５２Ａの中心側に位置させている。
【０１４７】
これにより、フック部３５８、３５９は、棒状接点部２５２Ａに対して、挟持する側からの２点と、引き抜く側（上面側）に位置する先端部（引っ掛かり端）３５８ｂ、３５９ｂの２点といった少なくとも４点以上で接触可能となっている。本実施の形態では、分岐片３５４１、３５４２で挟持する棒状接点部２５２Ａが分岐接点部３５４に対して挿入方向と逆方向（上向き）である引抜方向に移動する際に、フック面３５８ａ、３５９ａで面接触し、引抜力が向上するように形成されている。これにより、挟持した棒状接点部２５２Ａを抜けにくくしている。
【０１４８】
なお、このくり抜き部３５ｃ、３５ｄは、棒状接点部２５２Ａの挿入方向の厚みよりも小さくしており、棒状接点部２５２Ａに対する接触力の低下、つまり、引抜力の低下を防止している。
【０１４９】
なお、フック部３５８、３５９において互いの対向方向に突出した先端部３５８ｂ、３５９ｂを、破断面３５ａ、３５ｂにおいてくり抜かれていない部分よりも、互いに接近する位置に位置させて、くり抜かれていない破断面と、フック面３５８ａ、３５９ａとが直交するようにしてもよい。これにより、棒状接点部２５２Ａにおいて前後方向の上面側の角部が直交する形状であれば、より効果的に掛止できる。なお、このレセコンタクト３５０は、本実施の形態では、ハウジング１１０Ａにインサート成形によって一体成形されている。
【０１５０】
次に、上述したコネクタ装置２０において、レセプタクル１００Ａとプラグ２００Ａとを嵌合する際の動作を説明する。
【０１５１】
＜レセプタクルコネクタ１００Ａとプラグコネクタ２００Ａの嵌合＞
図２６及び図２７は、レセプタクル１００Ａとプラグ２００Ａとの嵌合動作を示す要部断面図であり、嵌合動作の一連の流れを示す。詳細には、図２６は、主にレセプタクル１００Ａとプラグ２００Ａとの短辺壁部同士の嵌合を示す図であり、図１８ＢのＦ−Ｆ線断面図に対応する断面図である。これら図２６において、図２６Ｂ及び図２６Ｃは、左半分に、レセプタクルコネクタとプラグコネクタの短辺壁部同士の断面図を示し、右半分に、短辺壁部同士が嵌合する際に対応するコンタクトの位置関係を示す。また、図２７は、レセプタクル１００Ａとプラグ２００Ａとの嵌合の際のコンタクト同士の位置関係を示す要部断面図である。
【０１５２】
先ず、図２６Ａに示すように、プラグ２００Ａにおいて長手方向（図では左右方向）に離間する短辺壁部２５、２６の突出部分である係合凸部２５ｂ、２６ｂを、それぞれレセプタクル１００Ａの短辺壁部１５、１６の係合口部１６２Ａ、１６３Ａに対応させる。そして、係合凸部２５ｂ、２６ｂを係合口部１６２Ａ、１６３Ａに挿入していく。このとき、プラグ２００Ａの係合凸部２５ｂ、２６ｂのテーパ部分がそれぞれ、短辺壁部１５、１６の上端縁或いは中央長辺壁部１４の突起部１７の上面に沿って移動して、係合口部１６２、１６３内に案内される。例えば、図２６Ｂでは、プラグ２００Ａがレセプタクル１００Ａに対して右側にずれている。しかしながら、図２６Ｃに示すように、プラグ２００Ａの短辺壁部２５、２６は、レセプタクル１００Ａの突起部１７と、短辺壁部１６とを摺動して、係合口部１６２Ａ、１６３Ａ側へ案内される。
【０１５３】
この係合凸部２５ｂ、２６ｂと係合口部１６２Ａ、１６３Ａとの係合によって、プラグ２００Ａは、レセプタクル１００Ａに対して、互いの外形形状によって、互いのコンタクト３５０、２５０同士の挿入方向で好適な接続位置に案内する。
【０１５４】
次いで、図２６Ｃから図２６Ｄに示すように、プラグ２００Ａの両短辺壁部２５、２６の係合凸部２５ｂ、２６ｂは、短辺壁部１５、１６の係合口部１６２Ａ、１６３Ａ内に挿入される。
【０１５５】
そして、プラグ２００Ａの短辺壁部２５、２６の係合爪部２５ａ、２６ａが、係合口部１６２Ａ、１６３Ａ内で、突起部１７に係合する。
【０１５６】
係合凸部２５ｂ、２６ｂが係合口部１６２Ａ、１６３Ａに挿入されると、レセプタクル１００Ａとプラグ２００Ａの嵌合時において、双方１００Ａ、２００Ａを、互いの外形形状により互いのコンタクト３５０、２５０同士の接続位置に位置決めされる。
【０１５７】
図２６Ｃに示す状態から図２６Ｄに示す状態（嵌合状態）までの間の動作として、プラグ２００Ａは、レセプタクル１００Ａに挿入方向で（ここでは上方から）挿入する。このとき、図２７Ａに示すように、プラグ２００Ａのプラグコンタクト２５０Ａ（詳細には棒状接点部２５２Ａ）が、分岐接点部３５４の一対の分岐片３５４１、３５４２間に案内される。これは、上述した係合凸部２５ｂ、２６ｂが係合口部１６２Ａ、１６３Ａに案内される動作と、棒状接点部２５２Ａが分岐片３５４１、３５４２のテーパ３５４１ａ、３５４２ａ（図２５参照）を摺動することによる。
【０１５８】
そして、更に、プラグ２００Ａがレセプタクル１００Ａ側に挿入方向で（ここでは上方から）挿入されると、プラグコンタクト２５０Ａ（棒状接点部２５２Ａ）は、分岐片３５４１、３５４２を弾性変形させて、これらの間に入っていく。そして、棒状接点部２５２Ａは、フック部３５８、３５９を乗りこえて、図２７Ｂに示すように、分岐接点部３５４の一対の分岐片３５４１，３５４２間に挿入される。つまり、棒状接点部２５２Ａが一対の分岐片３５４１、３５４２において互いに対向する破断面３５ａ、３５ｂ間に挿入される。これに伴い、一対の分岐片３５４１、３５４２は、互いに離れる方向（長手方向、ピッチ方向）に変位する。
【０１５９】
そして、図２７Ｃに示すように、プラグコンタクト２５０Ａ（棒状接点部２５２Ａ）は、くり抜き部３５ｃ、３５ｄ（図２５参照）を摺動してさらに挿入方向に移動して、一対の分岐片３５４１、３５４２間の基端側まで挿入される。これにより、棒状接点部２５２Ａは、分岐片３５４１、３５４２の復帰力により分岐片３５４１、３５４２の破断面３５ａ、３５ｂ（図２５参照）で導通可能に挟持される。なお、この図２７Ｃに示すコネクタ装置２０の状態は、図２６Ｄに示す状態、つまり、嵌合状態に相当する。
【０１６０】
図２８は、本発明の実施の形態２のコネクタ装置の嵌合状態における正面図であり、図２９は、図２８のＨ−Ｈ線断面図であり、図３０は、図２８のＪ−Ｊ線断面図である。
【０１６１】
このようなプラグ２００Ａとレセプタクル１００Ａとの嵌合状態では、図２６Ｄに示すように、コネクタ装置２０の長手方向（左右方向）で、係合爪部２５ａ、２６ａと突起部１７とが係合する。
【０１６２】
更に、図２８及び図２９に示すように、コネクタ装置２０の短手方向（前後方向）で、プラグ２００Ａの抜け止め防止爪部２１ａ、２２ａが、レセプタクル１００Ａにおいて、それぞれ対応する孔部１８に掛止する。
【０１６３】
これらにより、コンタクト２５０Ａ、３５０同士の好適な位置決めを行うとともに、プラグ２００Ａ（プラグハウジング２１０Ａ）がレセプタクル１００Ａ（レセハウジング１１０Ａ）から抜けにくくしている。
【０１６４】
また図２９、図３０に示すように、プラグ２００Ａとレセプタクル１００Ａとの嵌合状態では、レセプタクル１００Ａの開口部１０２Ａ−１、１０２Ａ−２にそれぞれ、プラグ２００Ａの長辺壁部２２、２１が挿入される。加えて、レセプタクルの中央長辺壁部１４の凸状部分が溝部２３ａ内に挿入されている。これらにより、プラグ２００Ａ、レセプタクル１００Ａとの嵌合やコンタクト２５０Ａ、３５０同士の好適な接続位置の位置決めを行うことができる。
【０１６５】
このように本実施の形態のコネクタ装置２０によれば、レセハウジング１１０Ａには係合口部１６２Ａ、１６３Ａが形成され、係合口部１６２Ａ、１６３Ａは、プラグ２００Ａの一部である係合凸部２５ｂ、２６ｂと挿入方向で係合して、コンタクト２５０Ａ、３５０同士の接続位置を位置決めする。これにより、コンタクト２５０Ａ、３５０同士の接続位置が、負荷が掛かることなく正確に位置決めされる。
【０１６６】
レセコンタクト３５０は、レセハウジング１１０Ａに、開口部１０２Ａ−１、１０２Ａ−２内で、プラグ２００Ａの挿入方向と逆方向に二股に分岐して設けられ、互いに離れる方向に弾性変形自在な一対の分岐片３５４１、３５４２を含む分岐接点部３５４を有する。分岐接点部３５４は、係合口部１６２Ａ、１６３Ａにより接続位置が位置決めされた際に、一対の分岐片３５４１、３５４２間に挿入される棒状接点部２５２Ａを、弾性変形して復帰する際の付勢力により導通可能に挟持する。棒状接点部２５２Ａは、長辺壁部１２、１３の厚み方向に水平に延在する。
【０１６７】
また、レセコンタクト３５０は、プラグコンタクト２５０Ａの棒状接点部２５２Ａを挟持した際に、棒状接点部２５２Ａの上面（挿入方向側の面とは逆側の面）で接触するフック部３５８、３５９を有する。フック部３５８、３５９は、一対の分岐片３５４１、３５４２の先端に、互いに対向する方向に突出して設けられ、挟持する棒状接点部２５２Ａが挿入方向とは逆の方向（引抜方向）に移動する際に、棒状接点部２５２Ａにおいて引抜方向側の面に接触して、その移動を規制する。
【０１６８】
詳細には、フック部３５８、３５９は、一対の分岐片３５４１、３５４２において、破断面３５ａ、３５ｂにくり抜き部３５ｃ、３５ｄを設けることで形成される。これにより、フック部３５８、３５９におけるフック面３５８ａ、３５９ａの先端部３５８ｂ、３５９ｂは、挟持した棒状接点部２５２Ａの上面側の角部よりも棒状接点部２５２Ａの中心側に位置する。すなわち、フック部３５８、３５９の互いに対向する方向に突出した先端部３５８ｂ、３５９ｂは、分岐片３５４１、３５４２で挟持する棒状接点部２５２Ａの左右の両側面よりも中央部分側の上面（上端面）に位置して当接する。
【０１６９】
これにより、図３１に示すように、分岐接点部３５４で挟持したプラグコンタクト２５０Ａ（詳細には棒状接点部２５２Ａ）が、引抜方向に移動しても、フック部３５８、３５９によって、抜けないように挟持される。
【０１７０】
すなわち、引抜方向に移動する棒状接点部２５２Ａの上面の角部に対して、分岐片３５４１、３５４２の破断面３５ａ、３５ｂで挟持しつつ、引抜方向側、つまり、上面側からフック面３５８ａ、３５９ａ（先端部３５８ｂ、３５９ｂを含む）が面接触、つまり引っかかる。これにより、挟持した棒状接点部２５２Ａを抜けにくくしつつ、プラグコンタクト２５０Ａとレセコンタクト３５０とを導通可能に接続する。
【０１７１】
このように本実施の形態２では、プラグ２００Ａの棒状接点部２５２Ａを、分岐接点部３５４で、挿入方向に対して逆の向きに分岐した一対の分岐片３５４１、３５４２の対向面（破断面３５ａ、３５ｂ）で、ピッチ方向で挟持する。これにより、プラグ２００Ａ側のコンタクトの構成を、一対の分岐片３５４１、３５４２で挟持される棒状に突出する形状にして簡略化できる。すなわち、基板同士を電気的に接続する従来のコネクタ装置の構成と異なり、プラグとレセプタクルの両コンタクトを確実に接続させるために、レセプタクルへの挿入深さに相当するプラグの凸部の突出長さを、所定の長さ分を確保する必要がない。
【０１７２】
図３０に示すように、上方から挿入される略水平に延在する棒状接点部２５２Ａを、その延在方向と直交する方向に変位する一対の分岐片３５４１、３５４２で挟持する。これにより、プラグ側の挿入深さを確保して、その長さ分、プラグ側のコンタクトを受けるレセプタクル側のコンタクトの変形領域を確保する等のような互いのコンタクトの係合力を高める構成にする必要が無い。図１５の比較例の構成の挿入深さａと異なり、挿入方向の長さｂ＜ａにすることができ、コネクタ装置２０の高さを低くできる。つまり、低背化を実現できる。
【０１７３】
このように、本実施の形態によれば、コネクタ装置２０が実装される電子機器自体の薄型化を図ることができる。また、従来のＵ字溝状導通部と異なり、レセプタクル側のコンタクトを、凸部の外面のコンタクトとの接触圧を確保するために、側壁と離間する方向の長さを確保する必要がない。このように、本実施の形態のコネクタ装置２０は、簡易な構成で安定した電気的接続を行えるとともに、小型化及び低背化を実現できる。
【０１７４】
また、係合口部１１５、１１６は、開口部１０２Ａ−１、１０２Ａ−２を挟み、一対の分岐片３５４１、３５４２の互いに離れる方向で離間して配置され、プラグ２００Ａの係合凸部２５ｂ、２６ｂと挿入方向で係合する。係合口部１３５、１１６とプラグ２００Ａの係合凸部２５ｂ、２６ｂとを係合するだけで、コンタクト２５０Ａ、３５０同士の接続位置の位置決めを行うことができる。
【０１７５】
また、レセプタクル１００Ａ及びプラグ２００Ａはともに、ハウジング１１０２Ａ１０に対して、コンタクト２５０Ａ、３５０をインサート成形によって一体に成形している。特に、分岐接点部３５４は、開口部１０２Ａ−１、１０２Ａ−２内で浮いた位置、つまり、周囲の構成体と離間した位置に配置されている。これにより、分岐接点部３５４は、インサート成形によって、樹脂が付着することなく、レセハウジング１１０に設けられる。よって、従来と異なり、蛇腹等の複雑な形状のコンタクトをハウジングに組み込む場合の手作業での組み立てる必要がなく、生産性の向上を図ることができる。
【０１７６】
さらに、分岐接点部３５４は、 開口部１０２Ａ−１、１０２Ａ−２内で浮いた位置、つまり、周囲の構成体と離間した位置に配置され、且つ、プラグ２００Ａの挿入方向と逆方向に二股に分岐する一対の分岐片３５４１，３５４２を含む。これにより、プラグ２００Ａのレセプタクル１００Ａへの挿入により両者が嵌合した際、挿入方向に対する垂直方向のずれに対し、弾性変形により追従して、プラグコンタクト２５０Ａとの接続を安定させた状態で挟持できる。
【０１７７】
なお、プラグコンタクト２５０Ａ−１、２５０Ａ−２は、中央梁部２３とそれぞれ対向する長辺壁部２１、２２間に架設された構成としたが、中央梁部２３或いは長辺壁部２１、２２からのみ突出する片持ち式の構造としてもよい。この場合、プラグコンタクト２５０Ａ（２５０Ａ−１、２５０Ａ−２）は、突出する中央梁部２３或いは長辺壁部２１、２２により支持される。
【０１７８】
レセプタクル１００、１００Ａ、プラグ２００、２００Ａにおける各コンタクト１５０、３５０、２５０、２５０Ａは、長辺壁部１２、１３、２１、２２、２１１、２１２にインサート成形により、接点部と脚部との間の部分で各長辺壁部に埋設されている。これにより、レセプタクル１００、１００Ａ、プラグ２００、２００Ａを基板に実装する際に、回路に脚部を半田で固定する際に、接点部側へのはんだフラックス上がりを防止できる。これにより、実装後の接触不良などの不具合を抑制できる。
【０１７９】
また、各実施の形態において、プラグコンタクト２５０−１、２５０−２、２５０Ａ−１、２５０Ａ−２は、プラグハウジング２１０、２１０Ａにおいて中央梁部２１、２３の両側面からそれぞれ直交して配設された構成としたが、これに限らない。プラグ２００、２００Ａの挿入方向と交差する方向であり、且つ、プラグ２００、２００Ａをレセプタクル１００、１００Ａに挿入して嵌合した際に、レセプタクルコンタクトに挟持される構成であれば、どの方向に突出してもよい。
【０１８０】
さらに、各実施の形態では、レセプタクル１００、１００Ａをコネクタに対応させ、プラグ２００、２００Ａを相手コネクタに対応させて説明したが、これに限らず、レセプタクル１００、１００Ａを相手コネクタに対応させ、プラグ２００、２００Ａをコネクタに対応させたコネクタ装置としてもよい。つまり、プラグ２００に上述した構成の分岐接点部を備えるコンタクトを設けた構成としてもよい。
【０１８１】
実施の形態１のコネクタ装置１０におけるレセコンタクト１５０を、実施の形態２のコネクタ装置２０のレセコンタクト３５０に替えてもよい。また、その逆に、レセコンタクト３５０を、実施の形態１のレセプタクル１００のレセコンタクト１５０に替えてコネクタ装置を構成してもよい。この場合、実施の形態１のコネクタ装置１０でも、実施の形態２で説明したレセコンタクト３５０による効果と同様の効果を奏することができる。
【０１８２】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【０１８３】
本発明に係るレセプタクルコネクタ及びコネクタ装置は、基板同士を電気的に接続するコネクタとして有用である。
【符号の説明】
【０１８４】
１０、２０  コネクタ装置
１２、１３、２１、２２、１１２、１１３、２１１、２１２  長辺壁部（壁部）
１４  中央長辺壁部
１５、１６、２５、２６、２１５、２１６  短辺壁部
１７  突起部
１８  孔部
２１ａ、２２ａ  抜け防止爪部
２３、２１３  中央梁部
２５ａ、２６ａ  係合爪部
２５ｂ、２６ｂ、２１５ｂ、２１６ｂ  係合凸部（被係合部）
３５ａ、３５ｂ  破断面
３５ｃ、３５ｄ  くり抜き部（切り欠き部）
１００、１００Ａ  レセプタクル（コネクタ）
１０２、１０２−１、１０２−２、１０２Ａ、１０２Ａ、１０２Ａ−１、１０２Ａ−２  開口部
１１０、１１０Ａ  レセハウジング
１１１  底面部
１１１ａ、１１１ｂ  底部長辺部
１１７、１１７−１、１１７−２  切欠孔
１１８  中央底板部
１３０  位置決めリブ（第２係合部）
１３４、１３５  ガイドテーパ部
１５０、３５０  レセコンタクト（コンタクト）
１５２、３５２  固定片部
１５３、３５３  脚部
１５４、３５４  分岐接点部
１６２、１６２Ａ、１６３、１６３Ａ  位置決め係合口部（第１係合部）
２００、２００Ａ  プラグ（相手コネクタ）
２１０、２１０Ａ  プラグハウジング
２３０  開口部（係合凹部）
２５０、２５０Ａ  プラグコンタクト（相手コネクタのコンタクト）
２５２、２５２Ａ  棒状接点部
２５４、２５４Ａ  脚部
３５８、３５９  フック部
３５８ａ、３５９ａ  フック面
３５８ｂ、３５９ｂ  先端部
１５４１、１５４２、３５４１、３５４２  分岐片
１５４１ａ、１５４２ａ  テーパ
１５４１ｂ、１５４２ｂ  爪部
【図１】
2015118918.tif 000003
【図２】
2015118918.tif 000004
【図３】
2015118918.tif 000005
【図４】
2015118918.tif 000006
【図５】
2015118918.tif 000007
【図６】
2015118918.tif 000008
【図７】
2015118918.tif 000009
【図８】
2015118918.tif 000010
【図９】
2015118918.tif 000011
【図１０】
2015118918.tif 000012
【図１１】
2015118918.tif 000013
【図１２】
2015118918.tif 000014
【図１３】
2015118918.tif 000015
【図１４】
2015118918.tif 000016
【図１５】
2015118918.tif 000017
【図１６】
2015118918.tif 000018
【図１７】
2015118918.tif 000019
【図１８Ａ】
2015118918.tif 000020
【図１８Ｂ】
2015118918.tif 000021
【図１９】
2015118918.tif 000022
【図２０】
2015118918.tif 000023
【図２１】
2015118918.tif 000024
【図２２】
2015118918.tif 000025
【図２３】
2015118918.tif 000026
【図２４】
2015118918.tif 000027
【図２５】
2015118918.tif 000028
【図２６】
2015118918.tif 000029
【図２７】
2015118918.tif 000030
【図２８】
2015118918.tif 000031
【図２９】
2015118918.tif 000032
【図３０】
2015118918.tif 000033
【図３１】
2015118918.tif 000034